【手続補正書】
【提出日】平成23年9月28日(2011.9.28)
【手続補正１】
【補正対象書類名】特許請求の範囲
【補正対象項目名】全文
【補正方法】変更
【補正の内容】
【特許請求の範囲】
【請求項１】
ユーザーデータ領域と、交替領域と、少なくとも交替領域使用時に更新する管理情報格納領域と、を持つ書き換え可能な媒体を用いて、所定の記録ブロック単位で交替処理を行いながら記録再生を行う記録再生装置であって、
該媒体の物理的な初期化を行う初期化処理手段と、
該交替領域を用いて交替処理を行う交替処理手段と、
該管理情報格納領域に格納されている、ブロック毎の欠陥種別情報を示すＤＦＬ（Defect List）エントリ情報を判定・検索可能なＤＦＬエントリ検索手段と、
該交替領域内における次に使用すべき先頭ブロックアドレスＮＡＰ（Next Available PSN）を決定するＮＡＰ決定手段と、
を具備し、
交替処理時に該交替領域内のブロックが欠陥ブロックと判断した場合は「使用不可のエントリ」として、該ＤＦＬに登録し、
該媒体の初期化処理時に該交替領域内に「使用不可のエントリ」のブロックが含まれる場合、
該ＮＡＰ決定手段は、「使用不可のエントリ」で登録された先頭ブロックアドレスを示さないようにＮＡＰを決定することを特徴とする記録再生装置。
【請求項２】
請求項１に記載の記録再生装置であって、前記ＮＡＰ決定手段は、
前記交替領域内の先頭ブロックから使用方向に向かって最初に使用可能な先頭ブロックアドレスを示すようにＮＡＰを決定することを特徴とする記録再生装置。
【請求項３】
請求項１に記載の記録再生装置であって、
前記交替領域内の先頭ブロックから使用方向に向かってＭブロック（Ｍは自然数）連続して「使用不可のエントリ」で登録されている場合、前記ＮＡＰ決定手段はＭ＋１ブロックの先頭ブロックアドレスを示すようにＮＡＰを決定することを特徴とする記録再生装置。
【請求項４】
請求項１に記載の記録再生装置であって、
前記交替領域内の全てのブロックが「使用不可のエントリ」で登録されている場合、前記ＮＡＰ決定手段はＮＡＰ値として無効値を示すことを特徴とする記録再生装置。
【請求項５】
ユーザーデータ領域と、交替領域と、少なくとも交替領域使用時に更新する管理情報格納領域と、を持つ書き換え可能な媒体を用いて、所定の記録ブロック単位で交替処理を行いながら記録再生を行う記録再生装置であって、
該媒体の物理的な初期化を行う初期化処理手段と、
該交替領域を用いて交替処理を行う交替処理手段と、
該管理情報格納領域に格納されている、ブロック毎の欠陥種別情報を示すＤＦＬエントリ情報を判定・検索可能なＤＦＬエントリ検索手段と、
該交替領域内における次に使用すべき先頭ブロックアドレスＮＡＰを決定するＮＡＰ決定手段と、
を具備し、
交替処理時に該交替領域内のブロックが欠陥ブロックと判断した場合は「使用不可のエントリ」として、該ＤＦＬに登録し、
該媒体の初期化処理時に、該媒体の初期化処理前に存在した該交替領域内の「使用不可のエントリ」のブロックが初期化処理後はクリアされる場合、
該ＮＡＰ決定手段は、初期化処理前に登録されていた「使用不可のエントリ」の先頭ブロックアドレスを示さないようにＮＡＰを決定することを特徴とする記録再生装置。
【請求項６】
請求項５に記載の記録再生装置であって、前記ＮＡＰ決定手段は、
初期化処理前に登録されていた「使用不可のエントリ」のブロックが存在すると仮定して、
前記交替領域内の先頭ブロックから使用方向に向かって最初に使用可能な先頭ブロックアドレスを示すようにＮＡＰを決定することを特徴とする記録再生装置。
【請求項７】
請求項５に記載の記録再生装置であって、
前記ＮＡＰ決定手段は、初期化処理前に登録されていた「使用不可のエントリ」のブロックが存在すると仮定して、
前記交替領域内の先頭ブロックから使用方向に向かってＭブロック（Ｍは自然数）連続して「使用不可のエントリ」で登録されていた場合、前記ＮＡＰ決定手段はＭ＋１ブロックの先頭ブロックアドレスを示すようにＮＡＰを決定することを特徴とする記録再生装置。
【請求項８】
請求項５に記載の記録再生装置であって、前記ＮＡＰ決定手段は、
初期化処理前に登録されていた「使用不可のエントリ」のブロックが存在すると仮定して、
前記交替領域内の全てのブロックが「使用不可のエントリ」で登録されていた場合、前記ＮＡＰ決定手段はＮＡＰ値として無効値を示すことを特徴とする記録再生装置。
【請求項９】
請求項１に記載の記録再生装置であって、
前記交替領域内に「使用不可のエントリ」のブロックが含まれる媒体を使用して交替処理を含む記録処理を行う場合、
前記ＮＡＰ決定手段は、「使用不可のエントリ」の先頭ブロックアドレスを示さないように次に使用するＮＡＰを決定することを特徴とする記録再生装置。
【請求項１０】
請求項１に記載の記録再生装置であって、
前記交替領域内に「使用不可のエントリ」のブロックが含まれる媒体を使用して交替処理を含む記録処理を行う場合、
前記交替領域内の先頭ブロックから使用方向に向かって使用可能な先頭ブロックアドレスのみを示すように次に使用するＮＡＰを決定することを特徴とする記録再生装置。
【請求項１１】
請求項５に記載の記録再生装置であって、
前記媒体の初期化処理時に、
前記媒体の初期化処理前に存在した前記交替領域内の「使用不可のエントリ」のブロックが初期化処理後はクリアされ、
前記交替領域内において使用方向に向かってＭブロック（Ｍは自然数）連続して「使用不可のエントリ」で登録されている場合、
前記交替処理手段は、前記交替領域内における記録リトライ回数をＭ回以上に設定することを特徴とする記録再生装置。
【請求項１２】
ユーザーデータ領域と、交替領域と、少なくとも交替領域使用時に更新する管理情報格納領域と、を持つ書き換え可能な媒体を用いて、所定の記録ブロック単位で交替処理を行いながら記録再生を行う記録再生方法であって、
該管理情報格納領域には、交替処理におけるブロック毎の欠陥種別情報を示すＤＦＬエントリ情報が格納されており、
交替処理時に該交替領域内のブロックが欠陥ブロックと判断した場合は「使用不可のエントリ」として、該ＤＦＬに登録するステップと、
該交替領域内における次に使用すべき先頭ブロックアドレスをＮＡＰとすると、
初期化処理時に該媒体の該交替領域内に「使用不可のエントリ」のブロックが含まれる場合、
「使用不可のエントリ」の先頭ブロックアドレスを示さないようにＮＡＰを決定するステップと、
を有することを特徴とする記録再生方法。
【請求項１３】
請求項１２に記載の記録再生方法であって、前記ＮＡＰを決定するステップは、
前記交替領域内の先頭ブロックから使用方向に向かって最初に使用可能な先頭ブロックアドレスを示すようにＮＡＰを決定することを特徴とする記録再生方法。
【請求項１４】
請求項１２に記載の記録再生方法であって、
前記交替領域内の先頭ブロックから使用方向に向かってＭブロック（Ｍは自然数）連続して「使用不可のエントリ」で登録されている場合、前記ＮＡＰを決定するステップは、
Ｍ＋１ブロックの先頭ブロックアドレスを示すようにＮＡＰを決定することを特徴とする記録再生方法。
【請求項１５】
請求項１２に記載の記録再生方法であって、
前記交替領域内の全てのブロックが「使用不可のエントリ」で登録されている場合、前記ＮＡＰを決定するステップは、ＮＡＰ値として無効値を示すことを特徴とする記録再生方法。
【請求項１６】
ユーザーデータ領域と、交替領域と、少なくとも交替領域使用時に更新する管理情報格納領域と、を持つ書き換え可能な媒体を用いて、所定の記録ブロック単位で交替処理を行いながら記録再生を行う記録再生方法であって、
該管理情報格納領域には、ブロック毎の欠陥種別情報を示すＤＦＬエントリ情報が格納されており、
交替処理時に該交替領域内のブロックが欠陥ブロックと判断した場合は「使用不可のエントリ」として、該ＤＦＬに登録するステップと、
該交替領域内における次に使用すべき先頭ブロックアドレスをＮＡＰとすると、
初期化処理時に該媒体の該交替領域内に「使用不可のエントリ」のブロックが含まれない場合、
初期化処理前に「使用不可のエントリ」のブロックであったブロックを示さないようにＮＡＰを決定するステップと、
を有することを特徴とする記録再生方法。
【請求項１７】
請求項１６に記載の記録再生方法であって、前記ＮＡＰを決定するステップは、
初期化処理前に登録されていた「使用不可のエントリ」のブロックが存在すると仮定し、前記交替領域内の先頭ブロックから使用方向に向かって最初に使用可能な先頭ブロックアドレスを示すようにＮＡＰを決定することを特徴とする記録再生方法。
【請求項１８】
請求項１６に記載の記録再生方法であって、前記ＮＡＰを決定するステップは、
初期化処理前に登録されていた「使用不可のエントリ」のブロックが存在すると仮定し、
前記交替領域内の先頭ブロックから使用方向に向かってＭブロック（Ｍは自然数）連続して「使用不可のエントリ」で登録されていた場合、
Ｍ＋１ブロックの先頭ブロックアドレスを示すようにＮＡＰを決定するステップと、
を有することを特徴とする記録再生方法。
【請求項１９】
請求項１６に記載の記録再生方法であって、前記ＮＡＰを決定するステップは、
初期化処理前に登録されていた「使用不可のエントリ」のブロックが存在すると仮定し、
前記交替領域内の全てのブロックが「使用不可のエントリ」で登録されていた場合、ＮＡＰ値として無効値を示すことを特徴とする記録再生方法。
【請求項２０】
請求項１２に記載の記録再生方法であって、
前記交替領域内に「使用不可のエントリ」のブロックが含まれる媒体を使用して交替処理を含む記録処理を行う場合、
前記ＮＡＰを決定するステップは、「使用不可のエントリ」の先頭ブロックアドレスを示さないようにＮＡＰを決定することを特徴とする記録再生方法。
【請求項２１】
請求項１２に記載の記録再生方法であって、
前記交替領域内に「使用不可のエントリ」のブロックが含まれる媒体を使用して交替処理を含む記録処理を行う場合、
前記ＮＡＰを決定するステップは、前記交替領域内の先頭ブロックから使用方向に向かって使用可能な先頭ブロックアドレスのみを示すようにＮＡＰを決定することを特徴とする記録再生方法。
【請求項２２】
請求項１６に記載の記録再生方法であって、
前記媒体の初期化処理時に、
前記媒体の初期化処理前に存在した前記交替領域内の「使用不可のエントリ」のブロックが初期化処理後はクリアされるステップと、
前記交替領域内において使用方向に向かってＭブロック（Ｍは自然数）連続して「使用不可のエントリ」で登録されている場合、
前記交替処理は、前記交替領域内における記録リトライ回数をＭ回以上に設定するステップと、
を有することを特徴とする記録再生方法。
【請求項２３】
請求項１２から２２のいずれか１項に記載の記録方法で記録された媒体をＤＦＬに従って再生することを特徴とする再生方法。
【手続補正２】
【補正対象書類名】明細書
【補正対象項目名】発明の名称
【補正方法】変更
【補正の内容】
【発明の名称】記録再生装置、記録再生方法、および、再生方法
【手続補正３】
【補正対象書類名】明細書
【補正対象項目名】０００７
【補正方法】変更
【補正の内容】
【０００７】
現在、ＣＤ−Ｒ／ＲＷ（ＣＤ  Ｒｅｃｏｒｄａｂｌｅ  ／  Ｒｅｗｒｉｔａｂｌｅ）、ＤＶＤ±Ｒ／ＲＷ（ＤＶＤ±Ｒｅｃｏｒｄａｂｌｅ  ／  Ｒｅｗｒｉｔａｂｌｅ  Ｄｉｓｃ）、ＤＶＤ−ＲＡＭ（ＤＶＤ−Ｒａｎｄｏｍ  Ａｃｃｅｓｓ  Ｍｅｍｏｒｙ）、Ｂｌｕ−ｒａｙ  Ｄｉｓｃ（登録商標、以下ＢＤと記す）等に代表される光学式のディスク状記録媒体に対して、半導体レーザーを用いてレーザー光を照射し、データ記録を行う記録再生装置がある。
【手続補正４】
【補正対象書類名】明細書
【補正対象項目名】０００９
【補正方法】変更
【補正の内容】
【０００９】
このようなディスク面の欠陥を回避してディスク寿命を延ばす１つの方法として、その欠陥部分にはデータの記録は行わずに、同じ光ディスク上に設けた交替領域（代替記録領域）に記録を行う、リニアリプレースメント（Ｌｉｎｅａｒ  Ｒｅｐｌａｃｅｍｅｎｔ）と呼ばれる欠陥管理方法がある。これはＤＶＤ−ＲＡＭで適用されており、このことは、非特許文献１の２９〜３１頁に記載されている。この技術はＢＤでも適応されており、クラスタ単位でユーザーデータ領域に記録中に、記録に失敗したクラスタ、もしくは記録は成功したが当該クラスタのベリファイに失敗したクラスタはディスク内に設けられた交替領域に記録される。なお、クラスタとは本発明中における最小記録ブロック単位に相当する。そして、検出され
た欠陥クラスタに対するアドレス情報と交替領域に記録されたクラスタのアドレス情報とその欠陥の種別を示すＤＦＬエントリを、ディスク内に設けられた管理領域内にディフェクトリスト（ＤＦＬ）として登録する。またそのＤＦＬエントリの種別も数種類定義されており、ＳＰＲ（Ｓｐａｒｅ）エントリ、ＲＡＤ（Ｒｅ−Ａｌｌｏｃａｔｅｄ  Ｄｅｆｅｃｔ）エントリ、ＣＲＤ（Ｃｏｎｔｉｇｕｏｕｓ  Ｒｅ−ａｌｌｏｃａｔｅｄ  Ｄｅｆｅｃｔ）エントリ、ＰＢＡ（Ｐｏｓｓｉｂｌｙ  Ｂａｄ  Ａｒｅａ）エントリ、ＮＲＤ（Ｎｏｎ−Ｒｅ−ａｌｌｏｃａｔａｂｌｅ  Ｄｅｆｅｃｔ）エントリやＵｎｕｓａｂｌｅエントリが存在する。このことは特許文献１にも記載されている。
【手続補正５】
【補正対象書類名】明細書
【補正対象項目名】００１０
【補正方法】変更
【補正の内容】
【００１０】
また追記型の媒体においては一度記録済みの交替領域への書き換えは出来ないため、次に記録すべき交替領域内における先頭ブロックアドレスが媒体内の管理情報領域に記録されており、このアドレスから追記しながら交替処理を行っていく。このことは特許文献２にも記載されている。一方、書き換え型の媒体においては記録済みであっても交替領域の再使用が可能であるため、追記型媒体で使用している「交替領域内で次に使用すべきを示す先頭ブロックアドレス」は使用せず、次に使用可能な交替領域内のクラスタを「ＤＦＬエントリの種別」を使用して判断している。また、ＤＦＬをソートして、次に使うべき交替領域内のクラスタを管理している。このことは特許文献２に記載されている。また書き換え型の媒体は、媒体を再度、物理的に初期化処理すること(以下、初期化処理と記す)が可能である。交替領域が使用済みの媒体に対して初期化処理を再度行う場合、交替領域内で登録済みのＤＦＬエントリを初期化処理時にどう取り扱うかは色々なケースが存在する。欠陥登録されている全てのＤＦＬエントリを、「過去に欠陥クラスタであったことを示すＤＦＬエントリ」（例えば、ＳＰＲ with status2=0100、ＰＢＡ with status2=0100等）に変換するクイック リフォーマット(Quick ReFormat)、使用済みの全てのＤＦＬエントリを全て初期化するノーサーティフィケーション（No Certification）、媒体内の全てのクラスタを対象にクラスタの状態をチェックし必要に応じてＤＦＬエントリ変換を行うフルサーティフィケーション（Full Certification）、媒体内の欠陥ＤＦＬエントリのクラスタだけ対象にクラスタの状態をチェックし必要に応じてＤＦＬエントリ変換を行うクイックサーティフィケーション（Quick Certification）が存在する。
【手続補正６】
【補正対象書類名】明細書
【補正対象項目名】００１９
【補正方法】削除
【補正の内容】
【手続補正７】
【補正対象書類名】明細書
【補正対象項目名】００２３
【補正方法】変更
【補正の内容】
【００２３】
ＤＭＡ領域はＤＭＳ(Disc Management Structure)で構成され、ＤＭＳはＤＤＳ(Disc Definition Structure)２０１とＤＦＬ(Defect List)２０２、で構成される。
ＤＤＳは、ＤＦＬの配置情報や、ＩＳＡ０、ＯＳＡ０の容量といったディスクの管理情報が含まれている。また、ＤＦＬは主にディスク上の欠陥箇所に対する交替箇所を管理するリストとして使用されている。
【手続補正８】
【補正対象書類名】明細書
【補正対象項目名】００２４
【補正方法】変更
【補正の内容】
【００２４】
ここでＤＦＬについて更に説明を加える。ＢＤ−ＲＥ ＳＬのＤＦＬは、２０３で示した1st position of DFLから２０４で示した7th position of DFLで構成されており、そのうち実際に有効なのは１つのpositionのみである。記録開始の最初は２０３から使用を開始し、何度も上書きをするうちに当該ブロックに対する記録がうまく出来なくなりベリファイでＮＧになったときに、有効なpositionが2nd position of DFLに移る。従って7th position of DFLまで使い切った時はそれ以上ＤＦＬ登録が出来なくなり、交替記録を伴う記録は不可となる。しかし、7th position of DFLまで使い切らなくてもＤＦＬ登録が出来なくなり、交替記録を伴う記録が不可となる場合が存在する。以下、その場合を説明する。１つのpositionは、図中に示すように４つクラスタで構成されており、１〜４つのクラスタを用いてＤＦＬの登録が行われる。
【手続補正９】
【補正対象書類名】明細書
【補正対象項目名】００２８
【補正方法】変更
【補正の内容】
【００２８】
３０１はＩＳＡ０，ＯＳＡ０の交替領域を確保するように初期化処理されたディスクにおいて、ユーザーデータ領域３０８への記録中に交替処理が行われた図である。図２で説明した通り、ディスクはリードイン領域３０４、データゾーン領域３０５、リードアウト領域３０６から構成されており、データゾーン領域３０５のディスク内周側にはＩＳＡ０（３０７）、ディスク外周側にはＯＳＡ０（３０９）が確保されている。この領域はデータ記録中に見つかった欠陥の交替領域として使用される。３０１は、図３の矢印３１０の向きでユーザーデータ領域３０８に対して記録が行われた際に発見された欠陥クラスタがａ、ｂ、ｃ、ｄでありそれぞれ、交替領域３０７のＩＳＡ０に、Ａ、Ｂ、Ｃ、ＤとしてＲＡＤエントリで交替処理が行われた例を示している。この時どのようにＤＦＬが変化するかを３０２を用いて説明する。３０２の上図は初期化処理直後のＤＦＬを示したものである。図２で説明したように、ＢＤ−ＲＥにおいては最初の初期化処理時、全ての交替領域はＳＰエントリ登録されるため、ＩＳＡ０の先頭ブロックアドレスであるＡから順にＢ、Ｃ、Ｄ、Ｅ、・・・と使用可能なクラスタとしてＳＰＲエントリ登録されている。ａ、ｂ、ｃ、ｄの交替先のクラスタとして夫々、Ａ、Ｂ、Ｃ、Ｄが使用された場合、ＤＦＬは３０２の下図のようになる。Status1がＲＡＤエントリに変更され、次に使用すべきＩＳＡ０内のクラスタはＥに変わったことがわかる。
【手続補正１０】
【補正対象書類名】明細書
【補正対象項目名】００３０
【補正方法】変更
【補正の内容】
【００３０】
ここで、ＢＤ−Ｒで採用されているＮＡＰによる交替領域内のアドレス管理方法をＢＤ−ＲＥに適用した場合を考え、その際の交替データ領域の使用方法に関する問題点を図４を用いて説明する。図４はＢＤ−ＲＥにおける初期化処理における交替領域のＤＦＬエントリの変化について説明した図である。初期化処理とは物理フォーマット処理や、媒体の状態をチェックしてそのチェック結果に基づき媒体の欠陥情報を更新するサーティフィケーション処理の両方を含む処理である。また、図４はＢＤ−ＲＥ ＳＬのディスクを示しており、各領域の定義はこれまで説明した通りである。４０１〜４０４は交替領域内におけるクラスタの状態を示した凡例であり、４０１は使用可能であることを示すUsable Cluster Type1 Type1(例えば、ＳＰＲエントリ with Status2=0000b)、４０２は交替処理において、実際に交替データが記録されていることを示すReplacement Cluster(例えばＲＡＤエントリ with Status2=0000b)、４０３は欠陥クラスタの為、使用出来ない可能性が高いことを示すUnusable Cluster、４０４は過去に欠陥クラスタであった可能性が高いので使用するのであれば記録後にチェックすべきことを示すUsable Cluster Type2(例えば、ＳＰＲエントリ with Status2=0100b)である。
【手続補正１１】
【補正対象書類名】明細書
【補正対象項目名】００４３
【補正方法】変更
【補正の内容】
【００４３】
６０３は初期化処理前は６０２で示したようなUnusable ClusterやUsable Cluster Type2が登録されていたが、Unusable ClusterやUsable Cluster Type2をクリアするような初期化方法が選択されて、実際の欠陥ブロックは存在するが、ＤＦＬの管理上は交替領域に全く欠陥クラスタが無い媒体（６０１の媒体と同じ状態）である。この状態で問題となるのは以下の場合である。記録再生装置の交替領域内の記録リトライ回数に上限があり、例えばそれが２回までであったと仮定する。この媒体は欠陥クラスタが無い媒体として扱われているので、ＮＡＰが初期化される位置は６０１の例と同じ６０６の位置になり、交替処理において1ブロック単位で交替データが記録された場合、ＮＡＰは１づつインクリメントされながら更新されていく。６０７の領域はＤＦＬエントリ上は使用可能な領域となっているが、実際は過去にUnusable ClusterやUsable Cluster Type2であった領域、つまり欠陥領域や欠陥の可能性が高い領域であり記録再生装置はここには実際には記録が出来ない可能性が高い。また、欠陥情報が消去された状況では、記録リトライ処理におけるＮＡＰの更新方法は６０１と同じく、隣のブロックへインクリメントさせていくしかない。
【手続補正１２】
【補正対象書類名】明細書
【補正対象項目名】００５２
【補正方法】変更
【補正の内容】
【００５２】
以上、本発明の好適な実施例を図を用いて説明した。本発明によれば、
追記型媒体のＮＡＰによる交替領域管理方法が、書き換え型媒体の交替領域管理方法に適用された場合において、媒体の初期化処理時や、交替処理時におけるＮＡＰを交替領域内のＤＦＬエントリ内のUnusable ClusterやUsable Cluster Type2で登録されたブロックを示さないように更新することで、ＮＡＰが欠陥ブロックを示さないようにし、記録再生媒体の無駄な記録リトライ処理や無駄な変換処理を行うことなく交替処理が可能となり、課題を解決することができる。
【手続補正１３】
【補正対象書類名】図面
【補正対象項目名】図１
【補正方法】変更
【補正の内容】
【図１】
2011165279.tif 000001